(57)【要約】【課題】  植物を植えた状態の植木鉢を移動する際でも、持ち上げる必要がなく、気軽に移動することができ、また、外観を損なうことなく、更に、製造組立作業に手間がかからないキャスター付植木鉢カバーを提供する。【解決手段】  差込軸兼用の主軸（１１）を有し、旋回部と車輪が共に回転するキャスター（１）と、該キャスター（１）の主軸（１１）を差し込み可能な厚みを有し、主軸（１１）を差し込みための差込孔（２ａ）を有する基台（２）と、該基台（２）の周縁において下方側に向けて形成され、キャスター（１）を取り付けた際にキャスター（１）が隠れ、かつ、設置面との間に隙間を有する寸法のスカート）（３）と、該基台（２）の周縁において上方側に向けて形成され、設置対象の植木鉢が隠れる寸法の壁体（４）とからなる。【選択図】図１
0003201605.tif 000002
【実用新案登録請求の範囲】
【請求項１】
差込軸兼用の主軸を有し、旋回部と車輪が共に回転するキャスターと、該キャスターの主軸を差し込み可能な厚みを有し、主軸を差し込みための差込孔を有する基台と、該基台の周縁において下方側に向けて形成され、キャスターを取り付けた際にキャスターが隠れ、かつ、設置面との間に隙間を有する寸法のスカートと、該基台の周縁において上方側に向けて形成され、設置対象の植木鉢が隠れる寸法の壁体とからなる、キャスター付植木鉢カバー。
【請求項２】
前記基台とスカートと壁体とが一体となって形成されていることを特徴とする、前記請求項１に記載のキャスター付植木鉢カバー。
【請求項３】
スカートが、転倒防止用のガイド壁となるべき強度を有するものであることを特徴とする、前記請求項１または２に記載のキャスター付植木鉢カバー。
【考案の詳細な説明】
【技術分野】
【０００１】
本考案は、キャスター付植木鉢カバーに関する。
【背景技術】
【０００２】
キャスター付植木鉢カバーに関連するものとして、特許文献１にキャスター付きの植木鉢及び特許文献２に植木鉢台が開示されている。
【０００３】
該特許文献１に記載の植木鉢は、図１に示すように、底部に支持体１１を一体的に設け、その支持体１１の内部に水受け皿体１４の着脱構造を設け、受け皿体１４上方であって植木鉢１本体の底部に水抜き穴１３を配し、植木鉢１を持ち上げずに水受け皿体１４の設置及び抜取りができるようにし、又、支持体１１の底部にキャスター２をさらに設け、全体を持ち上げなくても移動や掃除ができるようにしたものである。
【０００４】
また、特許文献２に記載の植木鉢台は、図２に示すように、植木鉢を載せる台部にキャスターを設けて移動を容易化するものであり、台部の下方に周囲を覆うカバーを設け、外観を整え、さらに台部の補強したものである。
【０００５】
特許文献１に記載の植木鉢及び特許文献２に記載の植木鉢台は、共に、キャスターが取り付けられているので、植物を植えた状態の植木鉢を移動する際でも、持ち上げる必要がなく、気軽に移動することができるものである。
【考案の概要】
【考案が解決しようとする課題】
【０００６】
しかしながら、特許文献１に記載の植木鉢は、図３に示すように、キャスター２が外部から見えるので、外観を損なうものである。
また、特許文献２に記載の植木鉢台は、キャスターが外部から見えないようにカバーを設けているが、図３に示すように、各キャスターを取付プレートの四隅に設けられた孔を利用して取り付ける必要があるので、製造組立作業に手間がかかるものであった。
【０００７】
従って、植物を植えた状態の植木鉢を移動する際でも、持ち上げる必要がなく、気軽に移動することができ、また、外観を損なうことなく、更に、製造組立作業に手間がかからない、植木鉢カバーが求められていた。
【課題を解決するための手段】
【０００８】
第１に、
差込軸兼用の主軸を有し、旋回部と車輪が共に回転するキャスターと、該キャスターの主軸を差し込み可能な厚みを有し、主軸を差し込みための差込孔を有する基台と、該基台の周縁において下方側に向けて形成され、キャスターを取り付けた際にキャスターが隠れ、かつ、設置面との間に隙間を有する寸法のスカートと、該基台の周縁において上方側に向けて形成され、設置対象の植木鉢が隠れる寸法の壁体とからなる、キャスター付植木鉢カバーである。
第２に、
前記基台とスカートと壁体とが一体となって形成されていることを特徴とする、前記第１に記載のキャスター付植木鉢カバーである。
第３に、
スカートが、転倒防止用のガイド壁となるべき強度を有するものであることを特徴とする、前記第１または第２に記載のキャスター付植木鉢カバーである。
【考案の効果】
【０００９】
本考案によれば以下の効果を奏することができる
【００１０】
植物を植えた状態の植木鉢を移動する際でも、持ち上げる必要がなく、気軽に移動することができ、また、外観を損なうことなく、更に、製造組立作業に手間がかからない。
【００１１】
加えて、植木鉢を置く位置が、キャスターの車輪の高さと基台の厚みの分だけ設置面から高くなるので、植木鉢に植えた植栽物が華やかになる。
ここで、植木鉢を設置した状態では、重心が高くなる分だけバランスを崩しやすく、キャスター移動中等において転倒し易くなるが、仮に転倒しそうになっても、スカートがガイド壁となるべき強度を有するものであれば、該ガイド壁によって転倒防止を図ることができる。
【図面の簡単な説明】
【００１２】
【図１】本考案のキャスター付植木鉢カバーの縦断面図である。
【図２】本考案のキャスター付植木鉢カバーを示す斜視図である。
【考案を実施するための形態】
【００１３】
以下、本考案を実施するための形態を、図面を参照しつつ具体的に説明する。
ここで、添付図面において同一の部材には同一符号を付しており、また重複した説明は省略されている。
なお、ここでの説明は本考案が実施される一形態であることから、本考案は該当形態に限定されるものではない。
【００１４】
本考案のキャスター付植木鉢カバーは、図１に示すように、キャスター１と、該キャスター１を底面側に取り付ける基台２と、該基台２に連続するスカート３及び壁体４とからなり、植物を植栽した植木鉢５を収納可能なものである。
【００１５】
キャスター１は、差込軸兼用の主軸１１を有し、旋回部と車輪が共に回転するものである。
基台２は、該キャスター１の主軸１１を差し込み可能で突き抜けない程度の厚みを有し、主軸１１を差し込みための貫通しない差込孔２ａを有するものである。
【００１６】
スカート３は、該基台２の周縁において下方側に向けて一体に形成され、キャスターを取り付けた際にキャスター１がほぼ隠れ、かつ、設置面との間に僅かな隙間を有する程度の長さの寸法によって形成され、転倒防止用のガイド壁となるべき強度を有するものである。
壁体４は、該基台２の周縁において上方側に向けて一体に形成され、設置対象の植木鉢５が隠れる程度の高さを有する寸法によって形成されたものである。
【００１７】
ここで、前記基台２とスカート３と壁体４とは、一体成形によって形成されている。
【００１８】
基台２にキャスター１を取り付ける際は、図２に示す取付キャップ１２と共に、主軸１１を差込孔２ａに差し込むことで取り付けが完了する。
よって、キャスター１の取り付け作業を容易に行うことができる。
【００１９】
すなわち、本考案に係るキャスター付植木鉢カバーは、植物を植えた状態の植木鉢５を移動する際でも、収納状態で移動できるので、持ち上げる必要がなく、気軽に移動することができ、また、キャスター１が見えないので外観を損なうことなく、更に、製造組立作業に手間がかからない。
【００２０】
しかも、本考案に係るキャスター付植木鉢カバーに、植物を植栽した植木鉢５を設置すると、植木鉢５を置く位置が、キャスター１の車輪の高さと基台２の厚みの分だけ設置面から高くなるので、植木鉢５に植えた植栽物が華やかになる。
このように植木鉢５を設置した状態では、重心が高くなる分だけバランスを崩しやすく、キャスター１で移動中等において転倒し易くなるが、仮に転倒しそうになっても、スカート３がガイド壁となるべき強度を有するので、該ガイド壁によって転倒防止を図ることができる。
【符号の説明】
【００２１】
１  キャスター
１１  主軸
１２  取付キャップ
２  基台
２ａ  差込孔
３  スカート
４  壁体
５  植木鉢
【先行技術文献】
【特許文献】
【００２２】
【特許文献１】実用新案登録第３００４９７８号公報
【特許文献２】特開平１１−９１０９号公報
【図１】
0003201605.tif 000003
【図２】
0003201605.tif 000004